(57)【特許請求の範囲】
【請求項１】
トラクタに連結される機体と、
この機体に設けられ、圃場の土に対して土作業をする土作業体と、
前記機体に高さ位置調節可能に設けられ、前記土作業体の作業量を一定に保持する接地輪と、
前記機体に設けられ、前記土作業体の非作業時に前記機体を吊持するキャスタ付スタンドとを備え、
前記機体を前記トラクタに連結する前の非作業時に、前記機体が前記キャスタ付スタンドにて吊持され、前記接地輪が前記キャスタ付スタンドの下端位置より高い位置の範囲内において高さ位置調節可能となるものであり、
前記接地輪および前記キャスタ付スタンドの各々は、共通の取付けフレームに取り付けられ、前記機体の左右両端位置より内側の位置に位置している
ことを特徴とする農作業機。
【請求項２】
接地輪は、左右方向の位置が機体の左右両端位置より内側の位置の範囲内で調節可能となっている
ことを特徴とする請求項１記載の農作業機。
【請求項３】
キャスタ付スタンドは、左右方向の位置が機体の左右両端位置より内側の位置の範囲内で調節可能となっている
ことを特徴とする請求項２記載の農作業機。
【発明の詳細な説明】
【０００１】
【発明の属する技術分野】
本発明は、トラクタとともに用いられる農作業機に関する。
【０００２】
【従来の技術】
従来、この種の農作業機は、例えば、トラクタに連結される機体を備え、機体の後側には圃場の土に対して土作業をする土作業体が設けられ、機体の前側下部には土作業体の作業量を一定に保持しながら圃場面に沿って走行するゲージ輪等の接地輪が高さ位置調節可能に設けられている。
【０００３】
【発明が解決しようとする課題】
しかしながら、この従来の農作業機では、接地輪の高さ位置を調節するに当たって、機体をトラクタに連結し、このトラクタの三点リンク機構を利用して、接地輪を圃場面から離間させなければならない。
【０００４】
このため、接地輪の高さ位置の調節作業は、機体とトラクタとの狭い空間で行わなければならず、十分な作業スペースの確保が困難であり、その結果、接地輪の高さ位置の調節作業が煩雑となる問題を有している。
【０００５】
本発明は、このような点に鑑みなされたもので、接地輪の高さ位置の調節作業を容易にできる農作業機を提供することを目的とする。
【０００６】
【課題を解決するための手段】
請求項１記載の農作業機は、トラクタに連結される機体と、この機体に設けられ、圃場の土に対して土作業をする土作業体と、前記機体に高さ位置調節可能に設けられ、前記土作業体の作業量を一定に保持する接地輪と、前記機体に設けられ、前記土作業体の非作業時に前記機体を吊持するキャスタ付スタンドとを備え、前記機体を前記トラクタに連結する前の非作業時に、前記機体が前記キャスタ付スタンドにて吊持され、前記接地輪が前記キャスタ付スタンドの下端位置より高い位置の範囲内において高さ位置調節可能となるものであり、前記接地輪および前記キャスタ付スタンドの各々は、共通の取付けフレームに取り付けられ、前記機体の左右両端位置より内側の位置に位置しているものである。
【０００７】
そして、この構成では、土作業体の非作業時に、キャスタ付スタンドが機体を吊持するため、機体を持ち上げて移動させる必要がなく、倉庫の中等で機体を容易に移動できる。また、接地輪の高さ位置を調節するに当たって、機体をトラクタに連結する必要がなく、十分な作業スペースを容易に確保できる。また、キャスタ付スタンドの下端位置より高い位置の範囲内で、接地輪の高さ位置を簡単に調節できる。さらに、別々の取付けフレームに取り付ける構成に比べて構成が簡単となり、また、接地輪およびキャスタ付スタンドの各々が機体の左右両端位置より内側の位置に位置するので、接地輪、キャスタ付スタンドが機体の左右両端位置より外側に出っ張って邪魔になることがなく、しかも、各種アタッチメントを機体の左右両端部に容易に取り付けることができる。
【０００８】
請求項２記載の農作業機は、請求項１記載の農作業機において、接地輪は、左右方向の位置が機体の左右両端位置より内側の位置の範囲内で調節可能となっているものである。また、請求項３記載の農作業機は、請求項２記載の農作業機において、キャスタ付スタンドは、左右方向の位置が機体の左右両端位置より内側の位置の範囲内で調節可能となっているものである。
【０００９】
【発明の実施の形態】
以下、本発明の農作業機としての耕耘作業機の一実施の形態の構成を図面を参照して説明する。
【００１０】
図１はトラクタに連結する前の非作業状態にある耕耘作業機の全体側面図で、図２がその平面図である。
【００１１】
図１および図２において、１は機体で、この機体１は、左右水平方向に長手方向を有する細長で筒形状の主フレーム２を有しており、この主フレーム２の長手方向の両端部には、互いに離間対向したチェーンケース３およびブラケット４の各々の上端部が固着されている。
【００１２】
また、これらの左右一対のチェーンケース３およびブラケット４の各々の下端部間には、土作業体としての耕耘ロータリ作業体５が回転可能に取り付けられている。この耕耘ロータリ作業体５は、圃場の土に対して耕耘作業をするもので、左右一対のチェーンケース３およびブラケット４の各々の下端部間に架け渡された図示しない耕耘軸を有し、この耕耘軸の外周面からは複数の耕耘爪６が放射状に固着されている。
【００１３】
さらに、左右一対のチェーンケース３およびブラケット４の各々の上部間には、細長で略矩形板状の耕耘部カバー体11が固着されており、この耕耘部カバー体11の幅方向の一端部には均平板等の整地体12の上端部が回動可能に連結されている。また、この整地体12の左右両側のアーム連結部13，13には、一端部が主フレーム２に連結された連結アーム14，14の他端部が連結されており、整地体12はこの連結アーム14，14にて圃場の状況に応じて所定の姿勢に保持される。
【００１４】
また一方、主フレーム２の長手方向の中央部には、入力軸15が前方に向って突設され、この入力軸15に図示しないトラクタのＰＴＯ軸がユニバーサルジョント等を介して接続される。そして、トラクタのＰＴＯ軸からの駆動力が入力軸15に入力されると、この駆動力は、主フレーム２内の図示しない駆動軸、チェーンケース３内の図示しないチェーン等の動力伝達手段を介して耕耘ロータリ作業体５の耕耘軸に伝達され、耕耘軸が回転駆動される。
【００１５】
さらに、主フレーム２の長手方向の中央部からは、トップマスト16が前上方に向って突設されており、このトップマスト16の先端部にはトップピン17が取り付けられている。また、主フレーム２の長手方向の中央部近傍には、左右一対の連結用板18，18が固着されている。
【００１６】
一方、図１および図２において、21はヒッチパイプ等の取付けフレームで、この取付けフレーム21は、左右水平方向に長手方向を有する細長筒形状に形成されており、この取付けフレーム21の長手方向の中央部近傍には、左右一対のロワアーム23，23が固着されている。これらの両ロワアーム23，23の各々の先端部にはロワピン24，24がそれぞれ取り付けられている。
【００１７】
そして、この取付けフレーム21のロワアーム23と主フレーム２の連結用板18とが、ボルト25、ナット26等にて構成された連結手段27にて連結固定されることにより、この取付けフレーム21が主フレーム２に固定的に取り付けられている。なお、連結手段27の固定状態を一旦解除することにより、この取付けフレーム21に、図示しない大きさの異なる耕耘ロータリ作業体等を有する別の主フレームを簡単に取り付けることができる。
【００１８】
また、この取付けフレーム21の長手方向の両端部近傍には、耕耘ロータリ作業体５の作業量、すなわち土中の深さ位置を一定に保持しながら圃場面に沿ってトラクタの車輪の後方位置で走行可能な左右一対のゲージ輪等の接地輪31，31が、接地輪取付け手段32，32を介して取り付けられている。
【００１９】
これらの左右一対の接地輪31，31の各々は、比較的重量の大きいもので、機体１の左右水平方向に一致した回転中心軸線を中心として回転自在に取り付けられ、機体１の左右方向の位置が調節可能、すなわち、幅方向位置調節可能となっている。また、両接地輪31，31の各々は、高さ位置調節可能でかつ取外し可能である。
【００２０】
ここで、各接地輪取付け手段32は、図１ないし図３に示すように、取付けフレーム21の長手方向の両端部分の前面側に固着された断面コ字形状の受け板部材41を有しており、この受け板部材41の機体１前面側に位置する面には、取付けフレーム21に沿って長手方向を有する細長矩形状の案内板部42が形成されている。
【００２１】
また、接地輪取付け手段32は、断面略Ｌ字形状の接地輪用ホルダー部材44を有しており、この接地輪用ホルダー部材44の一側には、受け板部材41の案内板部42に当接する当接板部45が形成されている。さらに、この接地輪用ホルダー部材44の他側には上下に開口した四角筒形状のアーム挿通用筒部46が形成され、このアーム挿通用筒部46にはピン挿通孔47が機体１の左右方向に向って開口形成されている。
【００２２】
そして、この接地輪用ホルダー部材44は、略Ｕ字形状のボルト51、ナット52等にて構成された固定手段53によって、当接板部45が案内板部42に当接した状態で、受け板部材41を介して取付けフレーム21の所定位置に固定されている。
【００２３】
また一方、この取付けフレーム21に固定された接地輪用ホルダー部材44のアーム挿通用筒部46には、下端部に接地輪31が取り付けられた上下方向に細長状のアーム55が挿通されており、このアーム55には複数のピン抜差孔56が機体１の左右方向に向って開口形成され、これらのピン抜差孔56の各々は互いに等間隔を介してアームの長手方向に沿って一列状に並んでいる。
【００２４】
そして、圃場の状況に応じて選択された一つのピン抜差孔56に、接地輪係止用の止めピン57が、アーム挿通用筒部46のピン挿通孔47を介して差し込まれることにより、アーム55が接地輪用ホルダー部材44に固定され、接地輪31が所定高さ位置に調節された状態で保持されている。
【００２５】
また、接地輪31を下端部に取り付けたアーム55の上端部には着脱可能にハンドル58が装着されている。さらに、止めピン57は、接地輪用ホルダー部材44に取り付けられたＵ字枠59にて保持され、コイルばね60で常に所定方向に付勢されている。
【００２６】
なお、接地輪31，31の幅方向位置の調節作業は、接地輪取付け手段32の固定手段53による接地輪用ホルダー部材44の固定状態を解除し、接地輪用ホルダー部材44の当接板部45を受け板部材41の案内板部42に沿ってスライドさせることにより行う。また、両接地輪31，31の取外し作業は、ハンドル58をアーム55から取り外し、止めピン57をコイルばね60の付勢力を抗してピン抜差孔56およびピン挿通孔47から抜き取り、その後、アーム55を接地輪用ホルダー部材44のアーム挿通用筒部46から抜き出すことにより行うことができ、或いは、固定手段53のナット52を取り、略Ｕ字形状のボルト51を取付けフレーム21から取り外すことにより、接地輪用ホルダー部材44ごとそっくり接地輪31，31を取り外すこともできる。
【００２７】
さらに、取付けフレーム21の長手方向の両端部には、左右一対のスタンド用ホルダー部材61，61が固着されており、これらの左右一対のスタンド用ホルダー部材61，61には、左右一対のキャスタ付スタンド62，62が着脱可能に取り付けられている。そして、これらの両キャスタ付スタンド62，62は、図１に示すように、機体１の非作業時において、機体１全体を基準面Ｘ、すなわち例えば、地面、圃場面、或いは倉庫内の床面等から離した状態に吊持し、耕耘ロータリ作業体５および接地輪31はその基準面Ｘから離間した状態で位置している。なお、接地輪31は、このキャスタ付スタンド62の下端位置より高い位置の範囲内において高さ位置調節可能となっており、最上位のピン抜差孔56を利用して接地輪31を最も低い高さ位置に調節した場合でも、この接地輪31は、基準面Ｘから離間した状態、すなわち圃場面から浮いた状態で保持される。
【００２８】
ここで、各スタンド用ホルダー部材61は、図１ないし図３に示すように、取付けフレーム21の長手方向の両端面に溶接等で固着された取付け板部65を有しており、この取付け板部65には、上下に開口した円筒形状の杆挿通用筒部66が固着され、この杆挿通用筒部66にはピン挿通孔67が機体１の左右方向に向って開口形成されている。
【００２９】
また、各キャスタ付スタンド62は、機体１の前後方向に長手方向を有する水平板状のキャスタ取付け部材71を有しており、このキャスタ取付け部材71の長手方向の両端下部には、互いに離間対向してキャスタ72a，72bが取り付けられている。なお、キャスタ取付け部材71の長手方向の一端部、すなわち、機体１の前側に位置する前端部に取り付けられたキャスタ72aには、ストッパ73が取り付けられている。
【００３０】
さらに、このキャスタ取付け部材71の上面部には、機体１の前後方向に長手方向を有する水平杆部75の下面部が固着され、この水平杆部75の機体１前側に位置する前端部からは、上下方向に長手方向を有する立上り杆部76が連続的に形成されている。この立上り杆部76の上端部近傍には、図示しないピン抜差孔が機体１の左右方向に向って開口形成されている。
【００３１】
そして、この立上り杆部76のピン抜差孔に、スタンド係止用の止めピン77が、杆挿通用筒部66のピン挿通孔67を介して差し込まれることにより、キャスタ付スタンド62がスタンド用ホルダー部材61に固定されている。なお、キャスタ付スタンド62の取外し作業は、止めピン77を抜き取り、立上り杆部76をスタンド用ホルダー部材61の杆挿通用筒部66から抜き出すことにより行う。
【００３２】
なお、接地輪31およびキャスタ付スタンド62の各々は、接地輪取付け手段32およびスタンド用ホルダー部材61を介して、一つの共通の取付けフレーム21に取り付けられ、図２に示されるように機体１の左右両端位置より内側の位置に位置しており、機体１の左右両端位置より外方には突出していない。接地輪31は、機体１の左右両端位置より内側の位置の範囲内で幅方向位置調節可能となっている。
【００３３】
次に、上記一実施の形態の作用を説明する。
【００３４】
耕耘作業機の機体１を図示しないトラクタの後部の三点リンク機構に連結する前の非作業時には、機体１は、図１に示すように、左右一対のキャスタ付スタンド62，62にて吊持され、機体１の全体が基準面Ｘから離間した離間状態にある。
【００３５】
この機体１の離間状態時に、作業者は、トラクタに邪魔されることなく、接地輪取付け手段32のハンドル58を利用しながら、止めピン57を抜差して、接地輪31の高さ位置を調節する。また、トラクタの型式、大きさの異なる耕耘ロータリ作業体等に応じて、接地輪31の幅方向位置を調節する必要がある場合には、固定手段53による固定状態を一旦解除し、接地輪用ホルダー部材44を所定距離だけスライドさせて、例えば、左右一対の接地輪31，31間の離間距離を設定する。なお、接地輪31が必要でない場合には、接地輪31を機体１から取り外すこともある。
【００３６】
そして、作業者は、耕耘作業機による作業をするに当って、図示しないトラクタの三点リンク機構に、図示しないカプラを介して機体１のトップマスト16およびロワアーム23，23からなるトラクタ三点連結部を連結するとともに、トラクタのＰＴＯ軸にユニバーサルジョイント等を介して機体１の入力軸15を接続する。なお、キャスタ付スタンド62，62は、機体１から取り外すか、或いは、機体１の作業に干渉しない状態に取り付け直す。
【００３７】
その後、作業者が、圃場内で、トラクタとともに機体１を走行させると、トラクタからの駆動力を受けて駆動回転中の耕耘ロータリ作業体５にて耕耘砕土作業が行われ、整地体12にて圃場面が平らに整地される。なお、耕耘ロータリ作業体５は、この耕耘ロータリ作業体５の土の中への移動は接地輪31にて規制されるため、一定の土中深さ位置を走行する。
【００３８】
このようにして、上記一実施の形態によれば、機体１の耕耘ロータリ作業体５の非作業時に、左右一対のキャスタ付スタンド62，62が、機体１全体を基準面Ｘから宙に浮かした離間状態に吊持するので、従来のようなスタンドのない構成等とは異なり、倉庫の中等で機体１を容易に移動できるばかりでなく、接地輪31，31の高さ位置を調節するに当たって、機体１をトラクタに連結させる必要がなく、十分な作業スペースを容易に確保できる。
【００３９】
よって、トラクタがその接地輪31の高さ位置の調節作業の邪魔になることがなく、十分な作業スペースを利用して、接地輪31の高さ位置の調節作業を容易かつ安全にできる。
【００４０】
また、同様に、接地輪31のメンテナンス時、或いは、交換時等において接地輪31の取外し作業を容易かつ安全にでき、しかも、所定の場合に、トラクタの型式、耕耘ロータリ作業体５の大きさ等に応じて、接地輪31の機体１の左右方向の位置を容易に調節できる。
【００４１】
さらに、接地輪31およびキャスタ付スタンド62の各々を共通の一つの取付けフレーム21に取り付けたので、別々の取付けフレームに取り付ける構成に比べて、構成を簡単にできる。
【００４２】
また、接地輪31およびキャスタ付スタンド62の各々が、機体１の左右両端位置より内側の位置に常に位置するので、接地輪31、キャスタ付スタンド62が機体１の左右両端位置より外側に出っ張って邪魔になることがなく、しかも、接地輪31、キャスタ付スタンド62は、畝立、排水路作り装置、残耕処理具等の各種アタッチメントとは干渉せず、各種アタッチメントを機体１の左右両端部に容易に取り付けることができる。
【００４３】
なお、上記実施の形態においては、キャスタ付スタンド62，62は、取付けフレーム21の両端部に固着されたスタンド用ホルダー部材61，61に取り付けた構成として説明したが、例えば、図４ないし図６に示すキャスタ付スタンド62a，62aのように、接地輪31と同様に、取付けフレーム21の長手方向の両端部近傍にスタンド取付け手段81，81を介して取り付け、各キャスタ付スタンド62aを機体１の左右方向の位置を機体１の左右両端位置より内側の位置の範囲内において調節できるようにした構成でもよい。
【００４４】
これら図４ないし図６に示すように、各スタンド取付け手段81は、スタンド用ホルダー部材82を有しており、このスタンド用ホルダー部材82には、受け板部材41の案内板部42に当接する当接板部83が形成されているとともに、上下に開口した円筒形状の杆挿通用筒部84が形成され、この杆挿通用筒部84にはピン挿通孔85が機体１の左右方向に向って開口形成されている。
【００４５】
そして、このスタンド用ホルダー部材82は、略Ｕ字形状のボルト86、ナット87等にて構成された固定手段88によって、当接板部83が案内板部42に当接した状態で、受け板部材41を介して取付けフレーム21の所定位置に固定されている。
【００４６】
一方、各キャスタ付スタンド62aは、上記のキャスタ付スタンド62と同じ構造のもので、機体１の前後方向に長手方向を有する水平板状のキャスタ取付け部材91を有しており、このキャスタ取付け部材91の長手方向の両端下部には、互いに離間対向してキャスタ92a，92bが取り付けられている。なお、キャスタ取付け部材91の長手方向の一端部、すなわち、機体１の前側に位置する前端部に取り付けられたキャスタ92aには、ストッパ93が取り付けられている。
【００４７】
さらに、このキャスタ取付け部材91の上面部には、機体１の前後方向に長手方向を有する水平杆部95の下面部が固着され、この水平杆部95の機体１前側に位置する前端部からは、上下方向に長手方向を有する立上り杆部96が連続的に形成されている。この立上り杆部96の上端部近傍には、図示しないピン抜差孔が機体１の左右方向に向って開口形成されている。
【００４８】
そして、この立上り杆部96のピン抜差孔に、スタンド係止用の止めピン97が、杆挿通用筒部84のピン挿通孔85を介して差し込まれることにより、キャスタ付スタンド62aがスタンド取付け手段81のスタンド用ホルダー部材82に固定されている。なお、キャスタ付スタンド62aの取外し作業は、止めピン97の抜き取り、立上り杆部96をスタンド用ホルダー部材82の杆挿通用筒部84から抜き出すことにより行う。
【００４９】
また、キャスタ付スタンド62aの幅方向位置の調節作業は、スタンド取付け手段81の固定手段88によるスタンド用ホルダー部材82の固定状態を解除し、スタンド用ホルダー部材82の当接板部83を受け板部材41の案内板部42に沿ってスライドさせることにより行う。なお、キャスタ付スタンド62a，62aは、接地輪31と同様、固定手段88のナット87を取り、略Ｕ字形状のボルト86を取付けフレーム21から取り外すことにより、スタンド用ホルダー部材82ごとそっくりキャスタ付スタンド62a，62aを取り外すことができる。
【００５０】
そして、このような図４ないし図６に示す実施の形態の耕耘作業機でも、図１ないし図３に示す耕耘作業機と同様に、機体１の耕耘ロータリ作業体５の非作業時に、左右一対のキャスタ付スタンド62a，62aが、機体１全体を基準面Ｘから宙に浮かした離間状態に吊持するので、従来のようなスタンドのない構成等とは異なり、倉庫の中等で機体１を容易に移動できるばかりでなく、接地輪31，31の高さ位置を調節するに当たって、機体１をトラクタに連結させる必要がなく、十分な作業スペースを容易に確保できる等という効果を奏することができる。
【００５１】
しかも、接地輪31に加えて、キャスタ付スタンド62aについても、機体１の左右方向の位置を調節できる構成としたので、例えば、耕耘ロータリ作業体５を主フレーム２とともに大きさの異なる別の耕耘ロータリ作業体、或いは、他の種類の土作業体に交換した場合において、キャスタ付スタンド62aの幅方向位置を容易に調節でき、よって、キャスタ付スタンド62aにて適切なバランスをもって機体１全体を吊持できる。
【００５２】
また、いずれの実施の形態においても、キャスタ付スタンド62，62aおよび接地輪31は、左右一対の構成には限定されず、必要に応じて適宜の数だけ設ける。
【００５３】
さらに、いずれの実施の形態においても、耕耘ロータリ作業体５を備えた耕耘作業機について説明したが、他の種類の土作業体を備えた農作業機にも適用できる。
【００５４】
【発明の効果】
請求項１記載の発明によれば、土作業体の非作業時に機体を吊持するキャスタ付スタンドを備えた構成であるので、倉庫の中等で機体を容易に移動できるばかりでなく、接地輪の高さ位置を調節するに当たって機体をトラクタに連結する必要がなく、十分な作業スペースを容易に確保でき、接地輪の高さ位置の調節作業を容易にできる。また、キャスタ付スタンドの下端位置より高い位置の範囲内で、接地輪の高さ位置を簡単に調節できる。さらに、接地輪およびキャスタ付スタンドの各々を共通の取付けフレームに取り付けたので、別々の取付けフレームに取り付ける構成に比べて構成が簡単となり、また、接地輪およびキャスタ付スタンドの各々が機体の左右両端位置より内側の位置に位置するので、接地輪、キャスタ付スタンドが機体の左右両端位置より外側に出っ張って邪魔になることがなく、しかも、各種アタッチメントを機体の左右両端部に容易に取り付けることができる。
【図面の簡単な説明】
【図１】本発明の農作業機の一実施の形態を示す側面図である。
【図２】同上農作業機を示す平面図である。
【図３】同上農作業機の一部を示す平面図である。
【図４】同上農作業機の他の実施の形態の側面図である。
【図５】同上農作業機を示す平面図である。
【図６】同上農作業機の一部を示す平面図である。
【符号の説明】
１    機体
５    土作業体としての耕耘ロータリ作業体
21    取付けフレーム
31    接地輪
62，62a    キャスタ付スタンド
【図１】
0003540707.tif 000002
【図２】
0003540707.tif 000003
【図３】
0003540707.tif 000004
【図４】
0003540707.tif 000005
【図５】
0003540707.tif 000006
【図６】
0003540707.tif 000007